(57)【要約】【課題】手動操作に基づく操作と、電気信号に基づく操作のどちらであっても弁体の昇降操作が可能である遠隔操作式排水栓装置であって、装置を大型化することなく、且つ省電力による作動を可能とし、駆動部材の制御が簡単である遠隔操作式排水栓装置の提供を課題とする。【解決手段】  従動部材１３は手動スイッチ部１１の押動時において、手動スイッチ部１１の動作に連動して上下に直進運動を行う。従動部材１３は上方に、略三角形状となるギア受け部１４が形成されており、回転部材１７の下方には前記ギア受け部１４と対応するギア部１８が形成されている。回転部材１７が電気信号を受けて回転した時、ギア受け部１４とギア部１８が摺動して従動部材１３を上下に直進運動させる。又、前記手動スイッチ部１１下方のスイッチ軸１２と回転部材１７の回転軸は平行に設けられている。【選択図】図３
2014098236.tif 000002
【特許請求の範囲】
【請求項１】
槽体の底部に設けられた排水口と、
昇降運動によって前記排水口の開閉を行う弁体と、
前記弁体の昇降操作を行う操作部と、
前記操作部が直線運動を行うことで弁体を昇降させる遠隔操作式排水栓装置において、
前記操作部は電動操作部及び手動操作部を有し、
前記電動操作部は、電気信号に基づいて回転する回転部材と、
前記回転部材の回転を受けて直線運動を行う従動部材から成り、
前記手動操作部は、手動操作可能なスイッチ部と、
前記回転部材の回転軸と平行に設けられたスイッチ軸から成り、
前記回転部材は、電気信号を受けて一方向にのみ回転することを特徴とする遠隔操作式排水栓装置。
【請求項２】
前記回転部材がギア部を有し、
前記従動部材が前記ギア部と対応するギア受け部を有し、
前記回転部材が電気信号に基づいて回転した際に、
前記ギア部とギア受け部が摺動することによって、
前記回転部材の回転運動が直線運動に変換され、
従動部材が直線運動を行うことを特徴とする請求項１に記載の遠隔操作式排水栓装置。
【請求項３】
前記電動操作部が摺動溝部と突起部を有し、
前記突起部は摺動溝部内に摺動可能に配置されており、
前記回転部材が電気信号に基づいて回転した際に、
摺動溝部内を突起部が摺動することによって、
前記回転部材の回転運動が直線運動に変換され、
従動部材が直線運動を行うことを特徴とする請求項１に記載の遠隔操作式排水栓装置。
【請求項４】
槽体の底部に設けられた排水口と、
昇降運動によって前記排水口の開閉を行う弁体と、
前記弁体の昇降操作を行う操作部と、
前記操作部が直線運動を行うことで弁体を昇降させる遠隔操作式排水栓装置において、
前記操作部は電動操作部及び手動操作部を有し、
前記電動操作部は、電気信号に基づいて回転する回転部材と、
前記回転部材の回転を受けて直線運動を行う従動部材から成り、
前記手動操作部は、手動操作可能なスイッチ部と、
前記回転部材の回転軸と平行に設けられたスイッチ軸から成り、
前記回転部材がギア部を有し、 
前記従動部材が前記ギア部と対応するギア受け部を有し、
前記回転部材が電気信号に基づいて回転した際に、
前記ギア部とギア受け部が摺動することによって、
従動部材が直線運動を行うことを特徴とする遠隔操作式排水栓装置。
【請求項５】
前記電気操作部が、回転部材を回転動作させる駆動部材としてモータを有し、
当該モータの回転を受けて回転部材が回転することを特徴とする請求項１乃至請求項４のいずれか１つに記載の遠隔操作式排水栓装置。
【請求項６】
前記弁体の昇降状態を検知する、位置検出手段を有することを特徴とする請求項１乃至請求項５のいずれか１つに記載の遠隔操作式排水栓装置。
【発明の詳細な説明】
【技術分野】
【０００１】
本発明は、シンク、浴槽等の、底部に排水口を備えた槽体に取り付けられる弁体を遠隔的に操作する遠隔操作式排水栓装置に関するものである。
【背景技術】
【０００２】
従来、浴槽底部に設けられた排水口を閉塞／開放する装置として、遠隔操作によって弁体の昇降操作を行う、遠隔操作式排水栓装置が知られている。又、当該遠隔操作については、手動操作に基づいて前記弁体を操作する方法と、電気信号に基づいて前記弁体を操作する方法が知られている。
【０００３】
特許文献１に記載の遠隔操作式排水栓装置においては、手動操作に基づく操作と、電気信号に基づく操作が記載されており、当該手動操作及び電気信号に基づく操作のどちらでも前記弁体が昇降可能となっている。
特許文献１に記載の遠隔操作式排水栓装置は、手動操作時においては、スイッチの押動に伴い、スイッチ下方の軸と当接しているロック機構（スラストロック機構）が作動する。この時、スイッチによって押圧されたロック機構は、弁体の下降状態・上昇状態をそれぞれ保持することが可能であり、当該下降・上昇状態は押動操作ごとに切り替えることが可能となる。
又、電気信号に基づく操作の際は、モータを駆動部材として、当該駆動部材の回転運動をカムに伝達させ、当該カムが受部に当接し、受部を押し下げることによって、回転運動を直線運動に変換する。そして、受部が前記ロック機構を押圧し、手動操作時と同様の操作を行うことができる。
【０００４】
上記特許文献１に記載の構造においては、前記カムが回転し、受部を押し下げることによってロック機構を作動させた後、カムの回転方向を反転させ、カムを元の状態に復帰させる。その為、カムの位置は信号が伝達されていない状態において常に同じ状態にある。従って、手動操作後に電気信号に基づく操作を行っても良く、逆に、電気信号に基づく操作後に手動操作を行っても良く、それぞれの操作が干渉し合うことはない。
【０００５】
しかし、当該特許文献１に記載の発明は、カムの軸が手動操作部の軸と直交する方向に配置されている為、ロック機構の作動に必要な長さ分のスペースがカムの軸の周方向にも必要となる。即ち、ロック機構が、下方に１５ｍｍ押すことで作動する構造の場合、最低限水平方向に、カムの回転に伴い１５ｍｍのスペースを取る必要がある為、装置が大型化、または少なくともこれ以上小型化できないという構造となってしまっていた。
【０００６】
又、前述の通り、電気信号に基づく操作を行った場合、ロック機構を作動させる為に１８０°回転したカムは、元の状態に復帰するために再び逆方向に１８０°回転する必要があった。その為、一度の操作においてカムは合計３６０°の回転が必要であり、電力の消費が激しかった。又、カムの回転方向が反転する為、駆動部材の制御が難しかった。
【先行技術文献】
【特許文献】
【０００７】
【特許文献１】特開平１０−２１２７４７号公報
【発明の概要】
【発明が解決しようとする課題】
【０００８】
そこで本発明は、手動操作に基づく操作と、電気信号に基づく操作のどちらであっても弁体の昇降操作が可能である遠隔操作式排水栓装置であって、装置を大型化することなく、又、省電力による作動を可能とし、駆動部材の制御が簡単である遠隔操作式排水栓装置の提供を課題とする。
【０００９】
上記課題を解決する為の請求項１に記載の本発明は、槽体の底部に設けられた排水口と、
昇降運動によって前記排水口の開閉を行う弁体と、
前記弁体の昇降操作を行う操作部と、
前記操作部が直線運動を行うことで弁体を昇降させる遠隔操作式排水栓装置において、
前記操作部は電動操作部及び手動操作部を有し、
前記電動操作部は、電気信号に基づいて回転する回転部材と、
前記回転部材の回転を受けて直線運動を行う従動部材から成り、
前記手動操作部は、手動操作可能なスイッチ部と、
前記回転部材の回転軸と平行に設けられたスイッチ軸から成り、
前記回転部材は、電気信号を受けて一方向にのみ回転することを特徴とする遠隔操作式排水栓装置である。
【００１０】
請求項２に記載の本発明は、前記回転部材がギア部を有し、
前記従動部材が前記ギア部と対応するギア受け部を有し、
前記回転部材が電気信号に基づいて回転した際に、
前記ギア部とギア受け部が摺動することによって、
前記回転部材の回転運動が直線運動に変換され、
従動部材が直線運動を行うことを特徴とする請求項１に記載の遠隔操作式排水栓装置である。
【００１１】
請求項３に記載の本発明は、前記電動操作部が摺動溝部と突起部を有し、
前記突起部は摺動溝部内に摺動可能に配置されており、
前記回転部材が電気信号に基づいて回転した際に、
摺動溝部内を突起部が摺動することによって、
前記回転部材の回転運動が直線運動に変換され、
従動部材が直線運動を行うことを特徴とする請求項１に記載の遠隔操作式排水栓装置である。
【００１２】
請求項４に記載の本発明は、槽体の底部に設けられた排水口と、
昇降運動によって前記排水口の開閉を行う弁体と、
前記弁体の昇降操作を行う操作部と、
前記操作部が直線運動を行うことで弁体を昇降させる遠隔操作式排水栓装置において、
前記操作部は電動操作部及び手動操作部を有し、
前記電動操作部は、電気信号に基づいて回転する回転部材と、
前記回転部材の回転を受けて直線運動を行う従動部材から成り、
前記手動操作部は、手動操作可能なスイッチ部と、
前記回転部材の回転軸と平行に設けられたスイッチ軸から成り、
前記回転部材がギア部を有し、 
前記従動部材が前記ギア部と対応するギア受け部を有し、
前記回転部材が電気信号に基づいて回転した際に、
前記ギア部とギア受け部が摺動することによって、
従動部材が直線運動を行うことを特徴とする遠隔操作式排水栓装置である。
【００１３】
請求項５に記載の本発明は、前記電気操作部が、回転部材を回転動作させる駆動部材としてモータを有し、
当該モータの回転を受けて回転部材が回転することを特徴とする請求項１乃至請求項４のいずれか１つに記載の遠隔操作式排水栓装置である。
【００１４】
請求項６に記載の本発明は、前記弁体の昇降状態を検知する、位置検出手段を有することを特徴とする請求項１乃至請求項５のいずれか１つに記載の遠隔操作式排水栓装置である。
【発明の効果】
【００１５】
請求項１及び請求項４に記載の本発明においては、手動操作と電動操作のどちらによっての弁体の昇降操作を行うことができる。又、スイッチ軸が回転部材の回転軸と平行に設けられていることにより、回転部材の回転に伴い必要となるスペースを削減することができ、装置全体を小型化することができる。
【００１６】
請求項２及び請求項３に記載の本発明においては、回転部材の回転を直線運動に変換する構造を明確にすると共に、電動操作時において、回転部材の回転を安定して従動部材の直線運動に変換することができる。
【００１７】
請求項５に記載の本発明においては、回転部材の駆動源を明確にすることができる。
【００１８】
請求項６に記載の本発明においては、弁体の昇降状態を検知する、位置検出手段を有することにより、例えば操作が浴槽である場合において、弁体の上昇時には給湯不可とする等の機能を付与することが可能となる。
【図面の簡単な説明】
【００１９】
【図１】本発明の遠隔操作式排水栓装置を示す要部断面図である。
【図２】本発明の操作部を示す断面図である。
【図３】本発明の操作部の一部を切り欠いた側面図である。
【図４】操作部が手動操作により作動するときの動作説明図である。
【図５】図４の状態における従動部材と回転部材の動作及び位置関係を示す説明図である。
【図６】操作部が電動操作により作動するときの動作説明図である。
【図７】図６の状態における従動部材と回転部材の動作及び位置関係を示す説明図である。
【図８】第一実施形態の変形例を示す参考図である。
【図９】本発明の第二実施形態に係る遠隔操作式排水栓装置の操作部を示す断面図である。
【図１０】第二実施形態に係る操作部の要部の構造を示す参考図である。
【図１１】第二実施形態に係る操作部を手動操作により作動させたときの動作を示す説明図である。
【図１２】第二実施形態に係る操作部を電動操作により作動させたときの動作を示す説明図である。
【図１３】第二実施形態に係る駆動部材を示す参考平面図である。
【図１４】第二実施形態の変形例を示す参考図である。
【発明を実施するための形態】
【００２０】
以下、図面を参照しながら本発明の遠隔操作式排水栓装置を説明する。尚、以下に記載する発明は実施形態の理解を容易にする為のものであり、これによって発明が制限して理解されるものではない。又、特に断りがない限り、図１に示す断面図を基準として上下左右を説明する。
【００２１】
図１に示すように、本発明に係る遠隔操作式排水栓装置１は、大きく分けて、槽体２の底部に開口する排水口３内に設けられた弁体４と、前記操作部８と弁体４を連結するレリースワイヤ５と、槽体２の縁部６に設けられた操作部８より構成されている。尚、本実施形態において、槽体２は浴槽である。
【００２２】
前記弁体４は周囲にパッキンが嵌着されており、下降状態に置いて当該パッキンと排水口３が当接することで、排水口３を閉塞状態にすることが可能となる。
【００２３】
レリースワイヤ５は軸方向に剛性を有し、側面方向に可撓性を有するワイヤー部材であり、内部のインナーワイヤが進退を行うことによって前記弁体４を昇降させる。
【００２４】
前記操作部８は、その操作を前記レリースワイヤ５を介して弁体４へと伝えることが可能であり、手動操作に基づいて弁体４を操作可能であると共に、電気信号に基づいても当該弁体４を操作可能である。又、操作部８はスイッチフランジ３０がロックナット３１と螺合することによって縁部６に取り付けられており、当該スイッチフランジ３０はケーシング上部３２及びケーシング下部３３と連結して操作部８の外側のケーシングを形成している。
上記操作部８は、その使用により操作部８下方に設けられたロック機構３４を作動させることによって、前記弁体４の操作を行う。
【００２５】
ロック機構３４は公知のスラストロック機構であり、ロック軸３８を上下動させる毎にロック機構３４下端に連結されているレリースワイヤ５内部のインナーワイヤを進出／後退させ、且つ、当該進出位置を保持することができる機構である。
上記ロック機構３４は、ロック軸３８及び上部ギア３５、下部ギア３６、回転ギア３７より構成されており、以下のように作動する。
まず、レリースワイヤ５内部のインナーワイヤが操作部側に後退している状態において、ロック軸３８が最大近傍まで押し下げられると、回転ギア３７が下部ギア３６と摺接することで所定角度回転する。その後、押し下げが解除されると、内蔵されたスプリング３９がロック軸３８及び回転ギア３７をやや押し戻し、回転ギア３７が上部ギア３５と当接することで、回転ギア３７の位置を保持する。
この時、レリースワイヤ５はロック軸３８及び回転ギア３７の動きと連動している為、進出状態が保持される。従って、レリースワイヤ５と連結している弁体４は上昇したままとなり、排水口３の開放状態が保持される。
そして、当該レリースワイヤ５の進出が保持された状態（排水口３が開放された状態）において再びロック軸３８を押し下げると、再び回転ギア３７が下部ギア３６と摺接して所定角度回転し、回転ギア３７と上部ギア３５との当接が解除される。その後、押し下げが終わると、内蔵された前記スプリング３９がロック軸３８及び回転ギア３７を押し戻し、ロック軸３８及びレリースワイヤ５が後退する。この時回転ギア３７は上部ギア３５と当接しない位置に回転している為、スプリング３９に付勢されて上部ギア３５間に形成されている溝部分に収納され、上部ギア３５より上方にまで上昇する。従って、レリースワイヤ５と連結している弁体４が下降し、排水口３を閉塞する。
【００２６】
以下に、図２及び図３を使用して上記操作部８の各構成要素について説明する。尚、図３においては、内部構造を明確にする為、ケーシング上部３２やケーシング下部３３等のケーシング部分のみを切り欠いて記載している。
操作部８は、手動スイッチ部１１、スイッチ軸１２、従動部材１３、回転部材１７、駆動部材２０、ロック機構３４より構成されている。
【００２７】
手動スイッチ部１１は、操作部８を槽体２の縁部６に固定するスイッチフランジ３０内部に上面が露出した状態で配置されており、手動により押動可能となっている。又、当該手動スイッチ部１１の上面は弁体４が下降している状態においてスイッチフランジ３０と略面一になっている。
【００２８】
スイッチ軸１２は前記手動スイッチ部１１の裏面中央に嵌合する軸であって、天地方向に延び、後述する回転部材１７の中心を貫通し、従動部材１３と螺着している。
【００２９】
従動部材１３は略円筒状であって、上部にギア受け部１４が形成されており、且つ、内部にスイッチスプリング１５が設けられている。
ギア受け部１４は後述する回転部材１７のギア部１８と対応し、上方に向けてなだらかに略三角形状となる凸部分が２箇所形成された２回対称形状である。尚、従動部材１３はケーシングに対して上下に直線運動することは可能であるが、回動不可となっている。
スイッチスプリング１５は、後述する手動操作時と電動操作時において、スイッチ軸１２の下がり幅（上がり幅）に差が生じた時に、当該差を吸収する。
又、従動部材１３の下方には、前記ロック機構３４が配置されており、ロック軸３８が従動部材１３の下方に嵌入されている。従って、ロック軸３８は従動部材１３の動きと連動し、従動部材１３が下限位置近傍にまで押し下げられた場合には、ロック機構３４が作動する。
【００３０】
回転部材１７は略円筒状であって、上面に後述する駆動ギア２２と係合するラック１９が全周に亘って設けられており、下部にギア部１８が形成されている。又、中心に前記スイッチ軸１２が貫通している。即ち、前記スイッチ軸１２と回転部材１７は軸方向が平行であって、本実施形態においては同軸となっている。
回転部材１７のギア部１８は、下方に向けてなだらかに略三角形状となる凸部分が２箇所形成されており、前述した従動部材１３のギア受け部１４と対応した２回対称形状である。尚、回転部材１７はケーシングに対して回動可能であるが、上下に直線運動することは不可能な状態で軸止されている。又、前述の通り回転部材１７の中心をスイッチ軸１２が貫通している。
【００３１】
駆動部材２０は、脱衣場やキッチン等、図示しない位置に設けられた電動スイッチ部の押動により伝達される電気信号に基づいて回転するモータであり、駆動軸２１がケーシング上部３２の側方より内部に貫通している。又、駆動軸２１はその先端に駆動ギア２２が取り付けられており、当該駆動ギア２２は前記回転部材１７のラック１９と歯合している。
【００３２】
尚、前述の通り操作部８は、手動操作に基づいて弁体４を操作可能であると共に、電気信号に基づいても当該弁体４を操作可能である。当該手動操作に基づいて前記弁体４を操作する手動操作部は、主に前記手動スイッチ部１１、スイッチ軸１２、従動部材１３、ロック機構３４によって構成されている。そして、電気信号に基づいて前記弁体４を操作する電動操作部は、主に前記駆動部材２０、回転部材１７、従動部材１３、ロック機構３４によって構成されている。
【００３３】
図４に示すように、上記手動操作部は、以下のように作動することで弁体４を上昇／下降させる。尚、図４においては、前記図３と同様に、内部構造を明確にする為、ケーシング上部３２やケーシング下部３３等のケーシング部分のみを切り欠いて記載している。
排水口３が閉塞状態の時（図４（a））に、使用者が手動スイッチ部１１を押動すると、当該押動に伴い、手動スイッチ部１１及びスイッチ軸１２が下方へと押し下げられる。この時、スイッチ軸１２は従動部材１３及び従動部材１３を介してロック軸３８と連結している為、スイッチ軸１２の動きと連動して従動部材１３及びロック軸３８も下方へと押し下げられる。従って、当該押し下げに伴いレリースワイヤ５が進出することで弁体４が上昇して排水口３を開放状態へと移行させる。（図４（b））ここで、ロック軸３８が下限位置近傍まで押し下げられた時、ロック機構３４が作動して排水口３が開放状態にて保持される。（図４（c））
又、当該排水口３が開放状態の時、手動スイッチ部１１は初期位置（排水口３が閉塞された状態）よりも下方に位置する。そして、もう一度手動スイッチ部１１を押動すると、ロック機構３４が再び作動し、排水口３が閉塞状態となる。
【００３４】
上記手動操作時において、従動部材１３と回転部材１７は図５に示すような位置関係となる。尚、図５においては理解を容易にする為、回転部材１７と従動部材１３を展開した状態で図示しており、９０°毎に一点鎖線を引いている。
弁体４が下降し、排水口３が閉塞状態にある時、図５（a）に示すように、従動部材１３は回転部材１７と最も接近している。この時、従動部材１３と回転部材１７の間には僅かなクリアランスが設けられている。
図５（a）の状態より手動スイッチ部１１に対して押動操作が加わった場合、従動部材１３が天地方向下方（図５における下方向）に向けて直線運動を行う。そして、ロック機構３４の内部に設けられた回転ギア３７が回転する最大押し込み状態の時に、図５（b）に示すように、従動部材１３と回転部材１７が最も離間した状態となる。その後、使用者が手動スイッチ部１１から手を離すと、排水口３が開放状態に保持され、従動部材１３と回転部材１７は図５（c）に示す位置関係となる。
そして、図５（c）の状態より再び手動スイッチ部１１を押動すると、図５（b）に示す状態となる。従って、回転ギア３７と上部ギア３５の係合が解除されて、再び図５（a）の状態となる。
上記の通り、手動操作時において、回転部材１７は従動部材１３とは一切当接せず、手動スイッチ部１１及びスイッチ軸１２と螺着している従動部材１３のみが直線運動を行う。
【００３５】
図６に示すように、上記電動操作部は、以下のように作動することで弁体４を上昇／下降させる。尚、図６においては、前記図３と同様に、内部構造を明確にする為、ケーシング上部３２やケーシング下部３３等を一部切り欠いて記載している。
排水口３が閉塞状態の時（図６（a））使用者は、図示しない電動スイッチ部を押動すると、当該押動に伴い、電気信号が駆動部材２０に伝達されて、駆動軸２１及び駆動ギア２２が回転する。当該回転はラック１９を通じて回転部材１７へと伝達されて、回転部材１７が１８０°回転する。
この時、回転部材１７のギア部１８が従動部材１３のギア受け部１４と当接するが、回転部材１７が回転のみ可能であり、且つ従動部材１３が直線運動のみ可能である為、ギア部１８がギア受け部１４と摺動し、従動部材１３が押し下げられる。従って、当該押し下げに伴いレリースワイヤ５内部のインナーワイヤが進出することで弁体４が上昇して排水口３が開放状態へと移行する。（図６（b））
ここで、従動部材１３が下限位置近傍まで押し下げられた時、ロック機構３４が作動して排水口３が開放状態にて保持される。
又、弁体４が開放状態の時、手動スイッチ部１１は初期位置（排水口３が閉塞された状態）よりも下方に位置する。（図６（c））そして、もう一度電動スイッチ部を押動すると、回転部材１７が回転し、従動部材１３を押し下げることによって再びロック機構３４が作動し、排水口３が閉塞状態となる。
【００３６】
尚、上記電動操作時において、従動部材１３と回転部材１７は図７に示すような位置関係となる。尚、図７においては理解を容易にする為、回転部材１７と従動部材１３を展開した状態で図示しており、９０°毎に一点鎖線を引いている。
弁体４が下降し、排水口３が閉塞状態にある時、図７（a）に示すように、従動部材１３は回転部材１７と最も接近している。この時、従動部材１３と回転部材１７の間には僅かなクリアランスが設けられている。
図７（a）の状態より電動スイッチ部に対して押動操作が加わった場合、回転部材１７が自身の軸を中心として周方向（図７における左、又は右方向）に回転する。この時、前述の通り、回転部材１７のギア部１８が従動部材１３のギア受け部１４と摺接し、従動部材１３を押し下げる。尚、回転部材１７が９０°回転した時に最大押し込み状態となり、図７（b）に示すように、回転部材１７のギア部１８と従動部材１３のギア受け部１４の先端同士が当接している状態となる。その後、回転部材１７は同一方向に更に９０°回転し、排水口３が開放状態に保持され、従動部材１３と回転部材１７は図７（c）に示す位置関係となる。
尚、回転部材１７が１８０°回転した時に、駆動部材２０がその駆動を停止する。この時、回転部材１７はスイッチ軸１２とは一切触れていないが、従動部材１３の動きにスイッチ軸１２が連動する為、図７（c）の状態においてスイッチ軸１２及び手動スイッチ部１１は押し下げられた状態で保持される。
そして、図７（c）の状態より再び電動スイッチ部を押動すると、回転部材１７が前記図７（a）より図７（b）へと移行した際と同一方向に回転し、回転部材１７のギア部１８が従動部材１３のギア受け部１４と当接（摺接）して図７（b）に示す状態となる。従って、従動部材１３の押し下げによりロック機構３４の回転ギア３７と上部ギア３５の係合が解除されて、再び図７（a）の状態となる。この時においても駆動部材２０は１８０°回転した時にその回動を停止する。即ち、回転部材１７は電気信号を受けた場合において、一方向にのみ回転を行う。
上記の通り、電動操作時において、回転部材１７はスイッチ軸１２とは一切当接しないが、従動部材１３の動きに合わせてスイッチ軸１２及び手動スイッチ部１１は直線運動を行う。
【００３７】
ここで、前述した手動操作時の従動部材１３と回転部材１７の位置関係を示す図５と、電動操作時の従動部材１３と回転部材１７の位置関係を示す図７を比較する。
弁体４が下降し、排水口３が閉塞状態にある時、手動操作時においては図５（a）、電動操作時においては図７（a）に示すように、手動操作時と電動操作時の従動部材１３と回転部材１７の位置関係がそれぞれ同一となっている。
又、同様に、弁体４が開放状態にある時、手動操作時においては図５（c）、電動操作時においては図７（c）に示すように、手動操作時と電動操作時の従動部材１３と回転部材１７の位置関係がそれぞれ同一となっている。
即ち、手動操作時と電動操作時において、弁体４の閉塞状態から開放状態に移行する過程、及び開放状態から閉塞状態へ移行する過程は異なるものの（図５（b）、図７（b）参照）、弁体４の下降／上昇状態（排水口３の閉塞／開放状態）における従動部材１３と回転部材１７の位置関係は共通している。（当然ながら、機能上においても同一であって、相違はない。）従って、例えば手動操作によって弁体４を上昇させて排水口３を開放状態へと移行させた後に、電動操作によって弁体４を下降させて排水口３を開放状態から閉塞状態へと移行させることが可能となる。又、同様に、電動操作後に手動操作を行うことも可能である。
【００３８】
又、回転部材１７のギア部１８と従動部材１３のギア受け部１４が摺接することによる押し下げ幅は、手動スイッチ部１１を押動した際の押し下げ幅とほぼ同一となる。（図５（b）、図７（b）参照）
一方で、手動操作と電動操作によるスイッチ軸１２の下がり幅（上がり幅）に差が生じた時は、従動部材１３の内部に設けられたスイッチスプリング１５によって当該差を吸収する。
【００３９】
又、従動部材１３の下端外周にはマグネット２５が設けられており、操作部８のケーシング外側に設けられた受信機２６によって、磁力を検出して、従動部材１３の位置情報を検出することができる。従って、例えば槽体２が浴槽である場合に、電動操作時に排水口３が閉塞状態であることを検出させた時のみ給湯を行う、といったことが可能となる。この場合においては、排水口３が開放状態である時に給湯してしまうことがなくなり、節水・節電効果等が得られる。
【００４０】
上記本願発明の第一実施形態は以上のようであるが、本発明の遠隔操作式排水栓装置によれば、スイッチ軸１２の軸方向が回転部材１７の回転軸方向と平行である。その為、前述した特許文献１に記載の遠隔操作式排水栓装置よりも簡単な構成で、水平方向に回転部材１７の回転に伴うスペースを取る必要が無く、装置を小型化することが可能となる。
又、本願発明の第一実施形態においては、前述の通り回転部材１７のギア部１８は２回対称形状を成す為、１８０°回転することは見かけ上、また機能上回転前の状態に戻ったこととなる。即ち、回転部材１７は１８０°回転するだけで弁体４の状態を変更することが可能であって、使用する電力を抑えることができる。又、特許文献１に記載の遠隔操作式排水栓装置のように、駆動部材２０の回転方向を途中で変更する必要が無く、制御が簡単である。
【００４１】
上記第一実施形態において、ギア部１８又はギア受け部１４を形成する凸部分の傾斜は略同一であって、ギア部１８又はギア受け部１４は略正三角形状であったが、本発明の遠隔操作式排水栓装置１においては、回転部材１７が電気信号を受けて一方向にのみ回転を行う為、例えば図８に示すように、ギア部１８又は／及びギア受け部１４が鋸歯状であっても良く、種々の形状変更を行うことが可能である。図８のようにギア部１８又は／及びギア受け部１４を鋸歯状とした場合には、凸部分の傾斜を緩やかに形成することができる。
【００４２】
又、上記第一実施形態において、ギア部１８及びギア受け部１４は共に２箇所の凸部分を有する２回対称形状であったが、凸部分は１箇所でも良く、又２箇所以上であっても良い。
【００４３】
又、上記第一実施形態において、ギア部１８及びギア受け部１４は対応する形状であって、略同一の形状であったが、摺動可能であれば良く、ギア部１８とギア受け部１４が全く異なる形状であっても良い。
【００４４】
又、上記第一実施形態において、マグネット２５と受信機２６によって従動部材１３の位置情報を検出していたが、回転部材１７の回転角度を制御することによって従動部材１３の位置情報を検出しても良い。
【００４５】
又、上記第一実施形態において、回転部材１７は電気信号を受けて一方向にのみ回転を行うが、１８０°以上回転してしまった場合等、不慮の自体においては逆方向に回転しても良い。又、当該逆方向への回転方法については、駆動部材２０が逆方向への回転を伝えても良く、従動部材１３に摺動されて逆回転しても良い。
【００４６】
次に、図９乃至図１３を使用して本発明の第二実施形態に係る遠隔操作式排水栓装置１を説明する。尚、槽体２、弁体４、レリースワイヤ５に関しては前記第一実施形態と同様であるので、その説明を省略する。
【００４７】
図９に示すように、本発明の第二実施形態に係る遠隔操作式排水栓装置１は、大きく分けて、槽体２の縁部６に設けられる操作部８と、槽体２の底部に開口する排水口３内に設けられた弁体４と、当該操作部８と弁体４を連結するレリースワイヤ５より構成されている。
本発明の第二実施形態に係る遠隔操作式排水栓装置１は、前記操作部８の操作を、レリースワイヤ５を介して弁体４へと伝えることによって弁体４が上昇／下降し、排水口３を開放／閉塞する。尚、本実施形態においても、槽体２は浴槽である。
【００４８】
前記操作部８は、その操作を前記レリースワイヤ５を介して弁体４へと伝えることが可能であり、手動操作に基づいて弁体４を操作可能であると共に、電気信号に基づいても当該弁体４を操作可能である。又、操作部８はスイッチフランジ３０がロックナット３１と螺合することによって縁部６に取り付けられており、当該スイッチフランジ３０はケーシング上部３２及びケーシング下部３３と連結して操作部８の外側のケーシングを形成している。
【００４９】
以下に、図９及び図１０を用いて上記操作部８の各構成要素について説明する。尚、図１０は、内部構造を明確にする為、ケーシング上部３２やケーシング下部３３、駆動部材２０等を省略した説明図である。
操作部８は、手動スイッチ部１１、スイッチ軸１２、従動部材１３、回転部材１７、外筒４５、駆動部材２０より構成されている。
【００５０】
手動スイッチ部１１は、操作部８を槽体２の縁部６に固定するスイッチフランジ３０内部に、上面が露出した状態で配置されており、手動により押動可能となっている。又、当該手動スイッチ部１１の上面は弁体４が下降している状態においてスイッチフランジ３０と略面一になっている。
【００５１】
スイッチ軸１２は前記手動スイッチ部１１の裏面中央に嵌合する軸であって、天地方向に延び、後述する回転部材１７の中心を貫通し、従動部材１３と螺着している。
【００５２】
従動部材１３は略円筒状であって、上面中心には前記スイッチ軸１２が当接する円形の溝が設けられており、上端近傍の側面に突起部４３が形成されている。又、従動部材１３は後述する回転部材１７の内側に配置されており、突起部４３は当該回転部材１７のスリット５０を貫通し、外筒４５の摺動溝部４６に摺動可能に配置されている。
従動部材１３の下方にはスプリング５２が配置されており、常に上方へ向けて付勢されている。又、従動部材１３の下方にはレリースワイヤ５が連結している。尚、従動部材１３はケーシングに対して上下に直線運動することが可能であって、且つ回動可能となっている。
【００５３】
回転部材１７は略円筒状であって、後述する外筒４５の内側に配置されている。回転部材１７は上面に後述する駆動ギア２２と係合するラック１９が全周に亘って設けられており、側面にはスリット５０が軸方向に設けられ、上面中心には前記スイッチ軸１２が貫通している。即ち、前記スイッチ軸１２と回転部材１７の回転軸は平行であって、本実施形態においては同軸となっている。尚、回転部材１７はケーシングに対して回動可能であるが、上下に直線運動することは不可能な状態で軸止されている。又、前述の通り回転部材１７の中心をスイッチ軸１２が貫通しているが、スイッチ軸１２と回転部材１７は当接していない。
【００５４】
外筒４５は略円筒状であって、内部には前記回転部材１７及び従動部材１３が配置されている。
外筒４５は内周に前記従動部材１３の突起部４３が摺動する為の摺動溝部４６が凹設されており、当該摺動溝部４６には前記突起部４３が配置されている。尚、外筒４５は回動不可能であり、且つ直線運動も不可能に軸止されている。
又、上記摺動溝部４６については手動操作部及び電動操作部の動作の説明の際に合わせて説明する。
【００５５】
駆動部材２０は、脱衣場やキッチン等、図示しない位置に設けられた電動スイッチ部の押動により伝達される電気信号に基づいて回転するモータであり、駆動軸２１がケーシング上部３２の側方より内部に貫通している。又、駆動軸２１はその先端に駆動ギア２２が取り付けられており、当該駆動ギア２２は前記回転部材１７のラック１９と歯合している。
【００５６】
上記構成より成る操作部８は、手動操作に基づいて弁体４を操作可能であると共に、電気信号に基づいても当該弁体４を操作可能である。当該手動操作に基づいて前記弁体４を操作する手動操作部は、主に手動スイッチ部１１、スイッチ軸１２、従動部材１３、回転部材１７、外筒４５によって構成されている。そして、電気信号に基づいて前記弁体４を操作する電動操作部は、主に従動部材１３、回転部材１７、駆動部材２０、外筒４５によって構成されている。
尚、本実施形態も前記第一実施形態と同様、ロック機構３４を備えているが、前記第一実施形態とは異なり、従動部材１３、回転部材１７、外筒４５自体がロック機構３４を形成する。
【００５７】
上記手動操作部は、以下のように作動することで弁体４を上昇／下降させる。
使用者が手動スイッチ部１１を押動すると、当該押動に伴い、手動スイッチ部１１及びスイッチ軸１２が下方へと押し下げられる。この時、スイッチ軸１２は従動部材１３と当接している為、スイッチ軸１２の動きと連動して従動部材１３も押し下げられる。又、従動部材１３の下方のレリースワイヤ５も従動部材１３の動きに連動して押し下げられる。
この時、従動部材１３の突起部４３が回転部材１７のスリット５０を貫通し、外筒４５の摺動溝部４６に摺動可能に配置されている為、従動部材１３は上記押し下げに伴い、摺動溝部４６に沿って、下限位置へ到達するまで、回転しながら下方へと進む。従って、手動スイッチ部１１の押し下げに伴いレリースワイヤ５が進出することで弁体４が上昇し、排水口３が開放状態へと移行する。尚、回転部材１７も従動部材１３の回転と連動して回転するが、回転部材１７は直線運動が不可能なように軸止されている為、回転運動のみ行う。即ち、手動スイッチ部１１の押動に伴い、従動部材１３が回転運動及び直線運動を行い、当該回転運動に伴い回転部材１７が回転運動のみ行う。
ここで、従動部材１３が下限位置近傍まで押し下げられた時、後述するロック機構３４が作動して排水口３が開放状態にて保持される。又、弁体４が開放状態の時、手動スイッチ部１１は当初の状態（排水口３が閉塞された状態）よりも下方に位置する。そして、もう一度手動スイッチ部１１を押動すると、再びロック機構３４が作動し、排水口３が閉塞状態となる。
【００５８】
ここで、図１１を使用して、上記手動操作時のロック機構３４の動作について説明する。尚、図１１においては理解を容易にする為、外筒４５を展開した状態で図示しており、９０°毎に一点鎖線を引いている。又、摺動溝部４６及び当該摺動溝部４６内を摺動する従動部材１３の突起部４３の状態（位置）のみ記載している。（尚、図１１には図示しないが、突起部４３の摺動に連動して、従動部材１３及びレリースワイヤ５のインナーワイヤも上下動を行う。）
まず、弁体４が下降しており、排水口３が閉塞状態にある時、従動部材１３の突起部４３は摺動溝部４６の上端であるｐ１に位置している。この状態より手動スイッチ部１１が押動されると、突起部４３はやや垂下した後、摺動溝部４６の下方側の傾斜４７aに当接し、当該傾斜４７aにガイドされて摺動する。この時、従動部材１３は回転しながら下方に向けて直線運動を行っている。
手動スイッチ部１１の押動によって傾斜４７aを摺動した突起部４３は、摺動溝部４６の下限位置ｐ２に配置される。その後、押し下げが解除されると、従動部材１３の下方に設けられたスプリング５２の反発により突起部４３（従動部材１３）は垂直方向に上昇し、摺動溝部４６の上方側の傾斜４７ｆと当接し、当該傾斜４７ｆにガイドされて摺動する。この時、従動部材１３は回転しながら上方に向けて直線運動を行っている。
スプリング５２の反発によって傾斜４７ｆを摺動した突起部４３は、摺動溝部４６の上方の傾斜４７ｆと傾斜４７ｇの間に形成された凸部分ｐ３に配置される。尚、ｐ３は前記ｐ１と１８０°対向する位置に設けられている。即ち、ｐ１からｐ３に移行することによって、従動部材１３（及び従動部材１３に連動して回転した回転部材１７）は１８０°回転したこととなる。
この時、レリースワイヤ５は従動部材１３の動きと連動している為、進出状態が保持される。従って、レリースワイヤ５と連結している弁体４は上昇したままとなり、排水口３の開放が保持された状態となる。
そして、上記突起部４３がｐ３に位置している状態（排水口３が開放された状態）において再び手動スイッチ部１１を押動すると、突起部４３はやや垂下した後、摺動溝部４６の下方側の傾斜４７cに当接し、当該傾斜４７cにガイドされて摺動し、ｐ４に到達する。その後、押し下げが解除されると、スプリング５２の反発により突起部４３（従動部材１３）は垂直方向に上昇し、摺動溝部４６の上方側の傾斜４７hに当接し、当該傾斜４７hにガイドされて摺動する。この時、従動部材１３は回転しながら上方へ向けて直線運動を行っている。
スプリング５２の反発によって傾斜４７ｆを摺動した突起部４３は、摺動溝部４６の上方の傾斜hと傾斜４７eの間に形成されたｐ１へと復帰する。
従って、レリースワイヤ５は従動部材１３の動きと連動する為後退し、弁体４が下降して排水口３を閉塞する。
【００５９】
即ち、手動操作時において、排水口３が閉塞状態にある時、突起部４３は摺動溝部４６の内、ｐ１に位置し、排水口３が開放状態にある時、突起部４３は摺動溝部４６の内、ｐ３に位置する。
【００６０】
前記電動操作部は、以下のように作動することで弁体４を上昇／下降させる。
使用者が図示しない電動スイッチ部を押動すると、当該押動に伴い、電気信号が駆動部材２０に伝達されて、駆動軸２１及び駆動ギア２２が回転する。当該回転はラック１９を通じて回転部材１７へ伝達されて、１８０°回転する。この時、回転部材１７のスリット５０を従動部材１３の突起部４３が貫通している為、従動部材１３も回転部材１７の回転に伴い回転する。又、突起部４３はスリット５０を貫通して摺動溝部４６内を摺動可能に配置されている為、摺動溝部４６に沿って回転しながら下方へと押し下げられる。従って、当該押し下げに伴いレリースワイヤ５が進出することで弁体４が上昇して排水口３が開放状態へと移行する。
ここで、従動部材１３が下限位置近傍まで押し下げられた時、後述するロック機構３４が作動して排水口３が開放状態にて保持される。又、弁体４が開放状態の時、手動スイッチ部１１は当初の状態（排水口３が閉塞された状態）よりも下方に位置する。そして、もう一度電動スイッチ部を押動すると、再びロック機構３４が作動し、排水口３が閉塞状態となる。
【００６１】
ここで、図１２を使用して、上記電動操作時のロック機構３４の動作について説明する。尚、図１２においては前記図１２と同様に、外筒４５を展開した状態で図示しており、９０°毎に一点鎖線を引いている。又、摺動溝部４６及び当該摺動溝部４６内を摺動する従動部材１３の突起部４３の状態（位置）のみ記載している。（尚、図１１には図示しないが、突起部４３の摺動に連動して、従動部材１３及びレリースワイヤ５のインナーワイヤも上下動を行う。）
まず、弁体４が下降しており、排水口３が閉塞状態にある時、従動部材１３の突起部４３は摺動溝部４６の上端であるｐ１に位置している。この状態より電動スイッチ部が押動されると回転部材１７が回転し、当該回転を受け、突起部４３は摺動溝部４６の上方側の傾斜４７eにガイドされて摺動する。この時、従動部材１３は回転しながら下方に向けて直線運動を行っている。
傾斜４７eの下端まで摺動した突起部４３は、スプリング５２により上方へと付勢されている為、傾斜４７eと連続する傾斜４７fにガイドされて摺動する。
尚、回転部材１７が１８０°回転した時に、駆動部材２０は回動を停止し、突起部４３は摺動溝部４６の上方の傾斜４７fと傾斜４７gの間に形成された凸部分ｐ３に配置される。
この時、レリースワイヤ５は従動部材１３の動きと連動している為、進出状態が保持される。従って、レリースワイヤ５と連結している弁体４は上昇したままとなり、排水口３の開放が保持された状態となる。
そして、上記突起部４３がｐ３に位置している状態（排水口３が開放された状態）において、再び電動スイッチ部を押動すると、再び回転部材１７が回転し、当該回転を受け、突起部４３が摺動溝部４６の上方側の傾斜４７ｇにガイドされて摺動する。この時、従動部材１３は回転しながら下方に向けて直線運動を行っている。
傾斜４７ｇの下端まで摺動した突起部４３は、スプリング５２により上方へと付勢されている為、傾斜４７ｇと連続する傾斜４７ｈにガイドされて摺動する。
尚、回転部材１７が１８０°回転した時に駆動部材２０は回動を停止し、突起部４３は摺動溝部４６の上方の傾斜ｈと傾斜４７eの間に形成されたｐ１へと復帰する。
従って、レリースワイヤ５と連結している弁体４が下降し、排水口３を閉塞する。
【００６２】
即ち、電動操作時において、排水口３が閉塞状態にある時、突起部４３は摺動溝部４６の内、ｐ１に位置し、排水口３が開放状態にある時、突起部４３は摺動溝部４６の内、ｐ３に位置する。
【００６３】
ここで、前述した手動操作時の従動部材１３の突起部４３と、外筒４５の摺動溝部４６の位置関係を示す図１１と、電動操作時の従動部材１３の突起部４３と、外筒４５の摺動溝部４６の位置関係を示す図１２を比較する。
弁体４が下降し、排水口３が閉塞状態にある時、手動操作時及び電動操作時において、共に突起部４３は摺動溝部４６のｐ１に位置している。
弁体４が上昇し、排水口３が開放状態にある時、手動操作時及び電動操作時において、共に突起部４３は摺動溝部４６のｐ３に位置している。
即ち、手動操作時と電動操作時において、弁体４の閉塞状態から開放状態に移行する過程、及び開放状態から閉塞状態へ移行する過程は異なるものの、弁体４の下降／上昇状態（排水口３の閉塞／開放状態）における突起部４３の摺動溝部４６内での位置関係が共通している。従って、例えば手動操作によって弁体４を上昇させて排水口３を開放状態へと移行させた後に、電動操作によって弁体４を下降させて排水口３を開放状態から閉塞状態へと移行させることが可能となる。又、同様に、電動操作後に手動操作を行うことも可能である。
【００６４】
又、上記第二実施形態においても、図示しない位置にマグネット２５が設けられており、操作部８のケーシングの外側に設けられた受信機２６によって、従動部材１３の位置情報を検出することができる。従って、例えば槽体２が浴槽である場合に、電動操作時に排水口３が閉塞状態であることを検出させた時のみ給湯を行う、といったことが可能となる。この場合においては、排水口３が開放状態である時に給湯してしまうことがなくなり、節水・節電効果が得られる。
【００６５】
又、上記第二実施形態においては、手動操作時においても回転部材１７が回転する為、ラック１９、駆動軸２１にも手動操作に基づく回転が伝達される。その為、駆動部材２０の構造を図１３に示すような構造とし、回転部材１７の回転が伝達しないようにすることが望ましい。
図１３に記載の構造においては、駆動軸２１の端部に傾斜歯を有するギアが設けられており、駆動部材２０の作動時には図１３（a）に示すように、駆動部材２０の動作が回転部材１７に伝達されるが、回転部材１７が回転した際には図１３（b）に示すように、駆動軸２１端部のギアが対応するギアから離間し、回転部材１７の回転を伝達しない。
【００６６】
上記本発明の第二実施形態は以上のようであるが、本発明の遠隔操作式排水栓装置１によれば、スイッチ軸１２の軸方向が回転部材１７の軸方向と平行に形成されている。従って、前記第一実施形態と同様に、水平方向に回転部材１７の回転に伴うスペースを取る必要が無く、装置を小型化することが可能となる。
又、本願発明の第二実施形態においても、回転部材１７は１８０°回転するだけで弁体４の状態を変更することが可能であって、使用する電力を抑えることができる。又、駆動部材２０の回転方向を途中で変更する必要が無く、制御が簡単である。
【００６７】
又、上記第二実施形態において、マグネット２５と受信機２６によって従動部材１３の位置情報を検出していたが、回転部材１７の回転角度を制御することによって従動部材１３の位置情報を検出しても良い。
【００６８】
又、上記第二実施形態において、回転部材１７は電気信号を受けて一方向にのみ回転を行うが、１８０°以上回転してしまった場合等、不慮の事態においては逆方向に回転しても良い。又、当該逆方向への回転方法については、駆動部材２０が逆方向への回転を伝えても良く、従動部材１３（突起部４３）に摺動されて逆回転しても良い。
【００６９】
又、上記第二実施形態においては、ロック機構３４を形成する従動部材１３、回転部材１７、摺動溝部４６がそれぞれ別の部材であったが、本発明はこれに限られるものではない。例えば図１４に示す第二実施形態の変形例のように、スイッチ軸１２と連続し、直線運動を行う従動部材１３の外周に摺動溝部４６を形成し、当該従動部材１３の外側に配置される回転部材１７の内側に突起部４３を設けても良い。尚、図１４は、内部構造を明確にする為、ケーシング上部３２やケーシング下部３３等を省略した説明図である。
この場合においては、部材点数を削減することが可能となる。
【００７０】
又、上記第一及び第二実施形態においては、手動スイッチ部１１は押動操作によって弁体４を上昇／下降させていたが、本発明はこれに限られるものではない。例えば手動スイッチ部１１を回動操作またはその他の操作によって弁体４を上昇／下降させる構造であってもよい。
【００７１】
又、上記第一及び第二実施形態においては、マグネット２５を使用して従動部材１３の位置情報を検出していたが、本発明はこれに限られるものではない。例えば赤外線等を使用して位置情報を検出しても良く、又、接触式のセンサを使用して位置情報を検出しても良い。
【符号の説明】
【００７２】
１    遠隔操作式排水栓装置
２    槽体
３    排水口
４    弁体
８    操作部
１１  手動スイッチ部
１２  スイッチ軸
１３  従動部材
１４  ギア受け部
１７  回転部材
１８  ギア部
２０  駆動部材
２５  マグネット
２６  受信機
４３  突起部
４５  外筒
４６  摺動溝部
【図１】
2014098236.tif 000003
【図２】
2014098236.tif 000004
【図３】
2014098236.tif 000005
【図４】
2014098236.tif 000006
【図５】
2014098236.tif 000007
【図６】
2014098236.tif 000008
【図７】
2014098236.tif 000009
【図８】
2014098236.tif 000010
【図９】
2014098236.tif 000011
【図１０】
2014098236.tif 000012
【図１１】
2014098236.tif 000013
【図１２】
2014098236.tif 000014
【図１３】
2014098236.tif 000015
【図１４】
2014098236.tif 000016